(57)【特許請求の範囲】
【請求項１】
目視によって検査する検査対象物が載せられる検査台であって、
この検査台は、床に固定される架台と、この架台の上方に配置され上下方向で異なる高さに前記検査対象物を載せることができるように複数段の検査対象物収納部を有する検査物載せ台と、この検査物載せ台と前記架台との間に設けられ前記架台に対して地面に鉛直な鉛直線に沿って前記検査物載せ台を昇降させる昇降部材と、前記複数段の検査対象物収納部の各々の横位置にて前記検査物載せ台に付属され検査員の目線位置を確認する目線確認部材と、前記昇降部材を上昇操作する上昇ボタン及び前記昇降部材を下降操作する下降ボタンと、からなり、
前記目線確認部材は、ミラーであり、このミラーの高さ中央に中立線が付設され、
この中立線は、該中立線の床からの高さと前記検査対象物の注目点の床からの高さが、同一又はほぼ同一になるように高さ位置が設定されており、
前記検査員が前記上昇ボタン又は下降ボタンを操作しながら、自己の瞳の中心を前記中立線に合致させることで、前記複数段の中から検査すべき検査対象物収納部の高さ位置が確定できるようにしたことを特徴とする検査台。
【請求項２】
前記検査員は、車椅子に座っている技能者であることを特徴とする請求項１記載の検査台。
【請求項３】
前記検査対象物は、外部から与えられる模擬情報により、指針が回転する指針型メータであることを特徴とする請求項１又は請求項２記載の検査台。
【発明の詳細な説明】
【技術分野】
【０００１】
本発明は、目視によって検査する検査対象物が載せられる検査台に関する。
【背景技術】
【０００２】
検査対象物の一例を図面に基づいて説明する。
図６に示すように、検査対象物１００は、計器の要部を収納するケース１０１と、このケース１０１に内蔵される目盛板１０２と、この目盛板１０２上を旋回する指針１０３と、この指針１０３及び目盛板１０２を覆うレンズ１０４と、ケース１０１内部へ外部信号を導入する信号入力部１０５からなる。
【０００３】
信号入力部１０５に、外から模擬情報を与えて、指針１０３の挙動や停止位置を検査することが、計器供給者や計器受け入れ者で実施される。なお、計器の種類によっては、模擬情報が与えられてから、指針１０３が安定（静定）するまでに、時間を要する物があり、本発明ではそのような時間がかかる計器を検査対象とする。
このような検査には、平板検査台が用いられる（例えば、特許文献１（図１）参照。）。
【０００４】
特許文献１を次図に基づいて説明する。
図７は従来の検査台を説明する図であり、検査台１１０は、床１１１に置かれる架台１１２と、この架台１１２に鉛直軸廻りに矢印（１）のように回転自在に立てられている支軸１１３と、この支軸１１３に立てられたコ字枠１１４と、このコ字枠１１４に水平軸廻りに矢印（２）のように回転可能に取付けられる方形枠１１５とからなる。
【０００５】
方形枠１１５は比較的大きな平板であるため、方形枠１１５に、上下に３段の検査対象物（上段検査対象物１１６、中段検査対象物１１７、下段検査対象物１１８）をセットすることができる。
例えば、中段検査対象物１１７を目視検査する間に、上段検査対象物１１６や下段検査対象物１１８の静定時間を稼ぐことができる。
【０００６】
ところで、車両のインストルメントパネルに装置されるメータを検査するには、インストルメントパネルの傾きに、方形枠１１５を傾ける。このような方形枠１１５に垂直な目線１１９が、理想な目線となる。
【０００７】
上段検査対象物１１６、中段検査対象物１１７及び下段検査対象物１１８が上下にセットされるため、健常な技能者であれば、立ち姿勢で上段検査対象物１１６を目視し、中腰姿勢で中段検査対象物１１７を目視し、屈み姿勢で下段検査対象物１１８を目視することで、検査が行える。
【０００８】
しかし、検査員には健常な技能者の他に、車椅子に座っている技能者（以下、車椅子技能者と記す。）１２０が含まれる。車椅子技能者１２０は、上下に姿勢を変えることが困難である。そこで、車椅子技能者１２０は、首を傾けて上向き目線１２１で上段検査対象物１１６を目視し、下向き目線１２２で下段検査対象物１１８を目視することになる。
【０００９】
上向き目線１２１や下向き目線１２２では、図６に示す目盛板１０２に記された目盛りと指針１０３との間に幾何学的なずれが生じる。結果、検査の精度が低下する。
【００１０】
そこで、上下姿勢を簡単に変えることができない車椅子技能者１２０であっても精度良く検査が実施できる検査台が、必要になる。
【先行技術文献】
【特許文献】
【００１１】
【特許文献１】実用新案登録第３０２４１９３号公報
【発明の概要】
【発明が解決しようとする課題】
【００１２】
本発明は、車椅子技能者であっても精度良く検査が実施できる検査台を提供することを課題とする。
【課題を解決するための手段】
【００１３】
請求項１に係る発明は、目視によって検査する検査対象物が載せられる検査台であって、この検査台は、床に固定される架台と、この架台の上方に配置され上下方向で異なる高さに前記検査対象物を載せることができるように複数段の検査対象物収納部を有する検査物載せ台と、この検査物載せ台と前記架台との間に設けられ前記架台に対して地面に鉛直な鉛直線に沿って前記検査物載せ台を昇降させる昇降部材と、前記複数段の検査対象物収納部の各々の横位置にて前記検査物載せ台に付属され検査員の目線位置を確認する目線確認部材と、前記昇降部材を上昇操作する上昇ボタン及び前記昇降部材を下降操作する下降ボタンと、からなり、
前記目線確認部材は、ミラーであり、このミラーの高さ中央に中立線が付設され、
この中立線は、該中立線の床からの高さと前記検査対象物の注目点の床からの高さが、同一又はほぼ同一になるように高さ位置が設定されており、
前記検査員が前記上昇ボタン又は下降ボタンを操作しながら、自己の瞳の中心を前記中立線に合致させることで、前記複数段の中から検査すべき検査対象物収納部の高さ位置が確定できるようにしたことを特徴とする。
【００１５】
請求項２に係る発明では、検査員は、車椅子に座っている技能者であることを特徴とする。
【００１６】
請求項３に係る発明では、検査対象物は、外部から与えられる模擬情報により、指針が回転する指針型メータであることを特徴とする。
【発明の効果】
【００１８】
請求項１に係る発明では、検査員の目線位置を確認する目線確認部材が、検査物載せ台に付属されている。
検査員は、目線確認部材を注視しながら、検査物載せ台を昇降させ、当該目線確認部材が理想的な目線に合致したら、昇降を停止する。次に、検査対象物の目視検査を実施する。その段の検査が終わったら、検査物載せ台を昇降させる。別の新たな段の目線確認部材が理想的な目線に合致したら、昇降を停止し、この段の目視検査を実施する。
【００１９】
検査員は首を上下に振る必要がない。すなわち、車椅子技能者であっても精度良く検査が実施できる検査台が提供される。
【００２０】
加えて、請求項１に係る発明では、目線確認部材は、ミラーである。ミラーは安価であり、検査台のコストダウンが図れる。
更に、昇降部材は、鉛直線に沿って検査物載せ台を上下させる。検査物載せ台を上下動させても検査物載せ台と検査員との間の距離が変化しない。検査員が移動する必要がない。特に、検査員が車椅子技能者である場合、車椅子を検査物載せ台に向かって横移動させる必要がない。そのため、検査作業の能率を高めることができる。
更に加えて、目線確認部材は、ミラーであり、このミラーの高さ中央に中立線が付設され、この中立線は、該中立線の床からの高さと前記検査対象物の注目点の床からの高さが、同一又はほぼ同一になるように高さ位置が設定されているため、検査員は理想的な目線で検査対象物を目視検査することができる。
【００２１】
請求項２に係る発明では、検査員は、車椅子に座っている技能者である。本発明の検査台は健常者にとっても便利であるが、車椅子技能者に特に適している。
【００２２】
請求項３に係る発明では、検査対象物は、外部から与えられる模擬情報により、指針が回転する指針型メータである。本発明の検査台は各種の検査対象物に適用できが、指針型メータに特に適している。
【図面の簡単な説明】
【００２４】
【図１】本発明に係る検査台の正面図である。
【図２】本発明に係る検査台の側面図である。
【図３】中段検査対象物を目視検査する手順を説明する図である。
【図４】下段検査対象物を目視検査する手順を説明する図である。
【図５】比較例と実施例との相違を説明する図である。
【図６】検査対象物の一例を示す図である。
【図７】従来の検査台を説明する図である。
【発明を実施するための形態】
【００２５】
本発明の実施の形態を添付図に基づいて以下に説明する。なお、図面は符号の向きに見るものとする。
【実施例】
【００２６】
本発明の実施例を図面に基づいて説明する。
図１に示されるように、検査台１０は、床１１に固定される架台１２と、この架台１２に設けた昇降部材２０と、この昇降部材２０で昇降される検査物載せ台３０とを主たる構成要素とする。なお、昇降部材２０は検査物載せ台３０側に設け、架台１２へ延ばしても良い。
【００２７】
また、床１１に「固定される」とは、取り外し不能に固定すること、移動可能に一時的に固定することの双方を意味する。架台１２が作業中に横ずれする心配が無ければ、架台１２は床１１に載せるだけでも差し支えない。すなわち、本発明では、これらの形態の全てを、床１１に固定されると表記する。
【００２８】
架台１２は、４本の脚１３と、これらの脚１３の状態に水平に渡した横梁１４とからなる。
【００２９】
昇降部材２０は、例えば電動機２１と、動力配分機能付き減速機２２と、複数本（この例では２本）のボールねじ２３とからなる。ボールねじ２３は、ボールねじに減速機及び電動機を組合せて一体化した電動ジャッキであってもよい。電動ジャッキや電動機２１であれば、モータ軸の回転量で昇降ストロークを決定することができ、位置精度が良好になる。
【００３０】
なお、昇降部材２０は、位置制御に優れたステッピング油圧シリンダ又は、ステッピング空圧シリンダであってもよい。
昇降部材２０の起動停止は、制御箱２４で実施する。制御箱２４は脚１３に取付けることができる。制御箱２４のおもて面に上昇ボタン２５、下降ボタン２６及び緊急停止ボタン２７が設けられる。
【００３１】
検査物載せ台３０は、矩形板３１と、この矩形板３１に区画された複数（この例では３段×４個で合計１２個）の検査対象物収納部３２と、この検査対象物収納部３２の下部位置に矩形板３１から図面手前へ延ばされた支持ピン３３、３３と、矩形板３１の右辺（又は左辺）に設けられた目線確認部材（上段目線確認部材３４、中段目線確認部材３５及び下段目線確認部材３６）と、さらに矩形板３１の右辺（又は左辺）に設けられ検査開始ボタン３７〜３９及び検査終了ボタン４１〜４３とからなる。
【００３２】
上段目線確認部材３４の左横の検査対象物収納部３２の収納される、４個の検査対象物１００の検査を開始するときには検査開始ボタン３７が押され、検査を終了するときには検査終了ボタン４１が押される。同様に、中段目線確認部材３５の左横の検査対象物に対しては、検査開始ボタン３８や検査終了ボタン４２が操作され、下段目線確認部材３６の左横の検査対象物に対しては、検査開始ボタン３９や検査終了ボタン４３が操作される。  すなわち、上段、中段、下段を各グループにして検査が行われる。
【００３３】
目線確認部材３４〜３６は、矩形のミラーであってもよい。ミラーの高さ中央に中立線４４を描いておくことは望ましい。
【００３４】
検査開始ボタン３７〜３９及び検査終了ボタン４１〜４３の近傍にも非常停止ボタン４５を配置することが望まれる。
支持ピン３３、３３により想像線で示す検査対象物１００（図６参照）が支持される。
【００３５】
検査員は上昇ボタン２５又は下降ボタン２６を押すことで検査物載せ台３０を上昇又は下降させることができる。
この際に、図２に示すように、車椅子４７に座っている検査員（車椅子技能者）４８は、上段目線確認部材３４、中段目線確認部材３５又は下段目線確認部材３６を見ながら検査前の昇降作業を行う。
【００３６】
検査物載せ台３０は、車両のインストルメントパネルに倣って傾けられている。検査員４８は検査物載せ台３０に面直な理想的な目線４９で上段目線確認部材３４を見ている。
上段目線確認部材３４がミラーである場合には、ミラーに自己の瞳が写る。瞳が中立線４４に合致すれば、目線４９とミラーの中心とが一致したことになる。
【００３７】
以上の構成からなる検査台の作用を図３及び図４で説明する。
図３（ａ）に示すように、検査員４８は、中段目線確認部材３５に注目しながら、中段目線確認部材３５の高さ中央（中立線４４）が自己の目線４９に重なるまで上昇操作又は下降操作を行う。目線４９が重なった時点で昇降作業を終える。昇降作業の終了時における中立線４４の床１１からの高さをＨ１とする。
【００３８】
なお、目視検査を実施する前に、図３（ｂ）に示す検査対象物１００に模擬情報を与え、指針（図６、符号１０３）を回転させておく。検査対象物１００が電気信号で作動するときには模擬情報は電気的信号とし、検査対象物１００が圧力信号で作動するときには模擬情報は圧力信号とするように、持ち情報は、検査対象物１００に適合する情報であればよい。すなわち、模擬情報は、指針を回転させる情報であれば何でもよく、単に指針の回転指令値などでもよい。図４（ｂ）の検査対象物１００においても同様である。
【００３９】
次に、検査員４８は、身体を図面奥へ移動させる。そして、（ｂ）に示すように、中段に載せられている検査対象物１００を目視する。検査対象物１００の注目点５１（図６、指針１０３の回転中心など）の床１１からの高さをＨ２とする。このＨ２と前記Ｈ１は同一又はほぼ同一に設定されているため、検査員４８は理想的な目線４９で検査対象物１００を目視検査することができる。
【００４０】
中段での検査対象物１００の検査が終了したら、検査員４８は検査物載せ台３０を上昇させる。
図４（ａ）に示すように、検査員４８は、下段目線確認部材３６に注目しながら、下段目線確認部材３６の高さ中央（中立線４４）が自己の目線４９に重なるまで上昇操作を行う。目線４９が重なった時点で昇降作業を終える。昇降作業の終了時における中立線４４の床１１からの高さをＨ３とする。このＨ３は図３でのＨ１と同一又はほぼ同一になる。
【００４１】
次に、検査員４８は、身体を図面奥へ移動させる。そして、（ｂ）に示すように、下段に載せられている検査対象物１００を目視する。検査対象物１００の注目点５１の床１１からの高さをＨ４とする。このＨ４と前記Ｈ３は同一又はほぼ同一に設定されているため、検査員４８は理想的な目線４９で検査対象物１００を目視検査することができる。
【００４２】
次に、本発明が検査物載せ台を鉛直軸に沿って上下移動することの利点を図面に基づいて説明する。
図５（ａ）に示すように、傾斜板１３１を設け、この傾斜板１３１に検査物載せ台１３２を沿わせ、シリンダなどの昇降部材１３３で、実線で示す検査物載せ台１３２を想像線で示す位置まで下降させる構造の検査台１３０を比較例とする。
検査物載せ台１３２が傾斜板１３１でガイドされるために、昇降部材１３３に曲げ力が作用しない。結果、昇降部材１３３の小径化が可能という利点がある。
【００４３】
ところで、車椅子技能者１３４と、実線で示す検査物載せ台１３２の前面下端との距離をＤ１とし、車椅子技能者１３４と、想像線で示す検査物載せ台１３２の前面下端との距離をＤ２とすると、Ｄ２はＤ１より小さくなる。想像線で示す検査物載せ台１３２の前面下端に車椅子技能者１３４に接触することが心配される場合には、車椅子技能者１３４は距離をＤ１からＤ２に変更するように、車椅子を移動させることになる。すなわち、比較例では車椅子の横移動が必要となる。作業性の向上を図る上では、車椅子の操作が少ないほどよい。
【００４４】
一方、本発明に係る実施例では、図５（ｂ）に示すように、実線で示す検査物載せ台３０は、地面に鉛直な鉛直線５２に沿って想像線の位置まで下がる。車椅子技能者４８と、実線で示す検査物載せ台３０の前面下端との距離と、車椅子技能者４８と、想像線で示す検査物載せ台３０の前面下端との距離とは、同じＤ３となる。結果、車椅子技能者４８は検査物載せ台３０に向かって前後進する必要がない。そのため、実施例によれば作業性の向上を図ることができる。
【００４５】
尚、目線確認部材３４〜３６は、ミラーが安価であり、交換が容易であり、好適である。しかし、やや精度に欠ける。そこで、目線確認部材３４〜３６は、ＣＣＤカメラに変えることができる。ＣＣＤカメラであれば、画像解析により検査員の目（瞳）の位置が正確に割り出せる。ただし、システムが複雑で、効果ではある。
したがって、目線確認部材３４〜３６は、ミラー、ＣＣＤカメラ、その他の部材が採用可能である。
【００４６】
また、本発明の検査台は車椅子技能者の他、健常者や片手技能者が使用することは差し支えない。ただし、高さ方向の姿勢を変更し難い車椅子技能者に特に適している。
【産業上の利用可能性】
【００４７】
本発明の検査台は車椅子技能者に好適である。
【符号の説明】
【００４８】
１０…検査台、１１…床、１２…架台、２０…昇降部材、３０…検査物載せ台、３４〜３６…目線確認部材、４７…車椅子、４８…作業員、４９…目線（理想的な目線）、５２…鉛直線、１００…検査対象物、１０２…指針。
【図１】
0005563334.tif 000002
【図２】
0005563334.tif 000003
【図３】
0005563334.tif 000004
【図４】
0005563334.tif 000005
【図５】
0005563334.tif 000006
【図６】
0005563334.tif 000007
【図７】
0005563334.tif 000008